(57)【特許請求の範囲】
【請求項１】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）とを備え、
上記第１交換器（21）は、第１空気と液体吸収剤との間で水蒸気を授受して第１空気を湿度調節する湿度交換器（21-h）と、第１空気と液体吸収剤との間で熱交換して第１空気を温度調節する顕熱熱交換器（21-t）とより構成されている
ことを特徴とする空気調和装置。
【請求項２】
請求項１記載の空気調和装置において、
湿度交換器（21-h）と顕熱熱交換器（21-t）とは直列に接続されている
ことを特徴とする空気調和装置。
【請求項３】
請求項１記載の空気調和装置において、
湿度交換器（21-h）と顕熱熱交換器（21-t）とは並列に接続されている
ことを特徴とする空気調和装置。
【請求項４】
請求項２又は３記載の空気調和装置において、
顕熱熱交換器（21-t）は、湿度交換器（21-h）の上方に配置されている
ことを特徴とする空気調和装置。
【請求項５】
請求項１記載の空気調和装置において、
液体吸収剤は、第１空気の露点温度以上に制御される
ことを特徴とする空気調和装置。
【請求項６】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）とを備え、
上記熱源用熱交換器（35）は、冷媒が循環する熱源回路（30）に設けられ、第１交換器（21）に流れる液体吸収剤を冷媒熱量によって顕熱変化させる第１熱源用熱交換器（35）で構成される一方、
上記熱源回路（30）には、第２交換器（22）に流れる液体吸収剤と熱交換して該液体吸収剤を顕熱変化させる第２熱源用熱交換器（33）が設けられ、
上記吸収剤回路（20）には、液体吸収剤が第２熱源用熱交換器（33）と第２交換器（22）とをバイパスするようにバイパス通路（26）が第２熱源用熱交換器（33）と第２交換器（22）に対して並列に設けられている
ことを特徴とする空気調和装置。
【請求項７】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）とを備え、
上記熱源用熱交換器（35）は、冷媒が循環する熱源回路（30）に設けられ、冷媒熱量によって液体吸収剤を顕熱変化させる一方、
上記熱源回路（30）には、第２空気と熱交換する空気熱交換器（37）が設けられ、
上記吸収剤回路（20）には、液体吸収剤が第２交換器（22）をバイパスするようにバイパス通路（26）が第２交換器（22）に対して並列に設けられている
ことを特徴とする空気調和装置。
【請求項８】
請求項７記載の空気調和装置において、
熱源用熱交換器（35）は、第１交換器（21）に流れる液体吸収剤を顕熱変化させる第１熱源用熱交換器（35）で構成される一方、
熱源回路（30）には、第２交換器（22）に流れる液体吸収剤と熱交換して該液体吸収剤を顕熱変化させる第２熱源用熱交換器（33）が設けられている
ことを特徴とする空気調和装置。
【請求項９】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）とを備え、
上記熱源用熱交換器（35）は、冷媒が循環する熱源回路（30）に設けられ、第１交換器（21）に流れる液体吸収剤を冷媒熱量によって顕熱変化させる第１熱源用熱交換器（35）で構成される一方、
上記熱源回路（30）には、第２交換器（22）に流れる液体吸収剤と熱交換して該液体吸収剤を顕熱変化させる第２熱源用熱交換器（33）が設けられ、
上記吸収剤回路（20）には、第２交換器（22）より流出する液体吸収剤から熱回収を行う熱回収熱交換器（25）が設けられると共に、液体吸収剤が熱回収熱交換器（25）と第２熱源用熱交換器（33）と第２交換器（22）とをバイパスするようにバイパス通路（26）が熱回収熱交換器（25）と第２熱源用熱交換器（33）と第２交換器（22）に対して並列に設けられている
ことを特徴とする空気調和装置。
【請求項１０】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）とを備え、
上記吸収剤回路（20）には、液体吸収剤に補給水を供給する給水手段（40）が接続され、
上記給水手段（40）は、吸収剤回路（20）に設けられ且つ透湿膜（4b）を介して補給水を供給する補給用湿度交換器（44）を備えている
ことを特徴とする空気調和装置。
【請求項１１】
請求項１０記載の空気調和装置において、
給水手段（40）は、補給水を加熱する加熱手段（45）を備えている
ことを特徴とする空気調和装置。
【請求項１２】
請求項１１記載の空気調和装置において、
加熱手段（45）は、補給水を液体吸収剤で加熱するように構成されている
ことを特徴とする空気調和装置。
【請求項１３】
請求項１２記載の空気調和装置において、
補給用湿度交換器（44）と加熱手段（45）とは一体に形成されている
ことを特徴とする空気調和装置。
【請求項１４】
液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）と、
上記第１交換器（21）の上流側の循環通路（24）に設けられ、液体吸収剤が第１空気と熱交換して温度調節した調和空気を生成するように該液体吸収剤を顕熱変化させる熱源用熱交換器（35）と、
上記第１空気の湿度が、口腔内粘膜の乾燥度に基づく絶対湿度による制御下限値と、室内空気質の劣化度に基づく相対湿度による制御上限値とで定められる湿度制御範囲になるように吸収剤回路（20）の湿度調節を制御するコントローラ（50）とを備えている
ことを特徴とする空気調和装置。
【発明の詳細な説明】
【０００１】
【発明の属する技術分野】
本発明は、液体吸収剤によって湿度調節と温度調節を行うようにした空気調和装置に関するものである。
【０００２】
【従来の技術】
従来、調湿装置には、特開平５−１４６６２７号公報に開示されているように、塩化リチウム水溶液よりなる液体吸収剤が循環する吸収剤回路を備えているものがある。この吸収剤回路は、除湿部と再生部とが連通部を介して接続されて成り、該除湿部は、透湿膜を介して室内空気と液体吸収剤とが水蒸気の授受を行うように構成される一方、上記再生部は、透湿膜を介して室外空気と液体吸収剤とが水蒸気の授受を行うように構成されている。
【０００３】
上記除湿装置の除湿動作は、図２１に示すように、除湿部において、Ａ２点の室内空気とＣ２〜Ｄ２点の液体吸収剤との間で除湿が行われる。つまり、高濃度の液体吸収剤は、室内空気によって冷却され、水蒸気分圧（飽和蒸気圧）がＣ２点に降下すると、室内空気の水蒸気分圧が高くなり、該室内空気の水分（水蒸気）が液体吸収剤に吸収され、液体吸収剤は低濃度の液体吸収剤になる。
【０００４】
一方、上記液体吸収剤の再生は、再生部において、Ｅ２〜Ｆ２点の液体吸収剤がＢ２点の室外空気に水分（水蒸気）を放出する。つまり、上記水分を吸収した低濃度の液体吸収剤（Ｄ２）は、室外空気によって加熱され、水蒸気分圧（飽和蒸気圧）がＥ２点に上昇すると、室外空気の水蒸気分圧が低くなり、液体吸収剤の水分（水蒸気）が室外空気に放出され、液体吸収剤はＦ２点の高濃度の液体吸収剤に再生される。
【０００５】
そして、この高濃度の液体吸収剤は、上述したように再び除湿部に移動し、Ｃ２点に冷却されて室内空気の水分を吸収し、この循環動作を繰り返して室内を除湿する。
【０００６】
更に、上記除湿装置においては、連通部に蒸発器及び凝縮器を設けるようにしているものもある。該除湿装置は、蒸発器によって除湿部に流れる液体吸収剤を冷却する一方、凝縮器によって再生部に流れる液体吸収剤を加熱する。この結果、液体吸収剤の水蒸気分圧を確実に降下及び上昇させ、つまり、液体吸収剤を図２１に示すＣ２点に確実に降下させる一方、Ｅ２点に確実に上昇させ、水分の吸収及び放出が確実に行われるようにしている。
【０００７】
【発明が解決しようとする課題】
しかしながら、上述した除湿装置においては、室内の湿度調整のみを行うようにしているため、温度調節を行うためには、別個に空調機等の温調装置を設置しなければならないという問題があった。
【０００８】
具体的に、従来の除湿装置は、図２１に示すように、液体吸収剤と室内空気又は室外空気との間で水蒸気の授受を行えば、目的とする除湿機能を発揮するので、液体吸収剤の水蒸気分圧（飽和蒸気圧）が所定値Ｃ２、Ｅ２になるように該液体吸収剤の冷却及び加熱を行うようにしているに過ぎなかった。
【０００９】
したがって、従来の除湿装置は、例えば、室内空気を冷却することができず、室内の冷房を行うためには、別個に冷房装置を設置する必要があり、特に、蒸発器を設けた除湿装置においても、液体吸収剤をさほど顕熱変化させるものではないことから、別個に冷房装置を設置する必要があった。
【００１０】
この結果、室内の温度と湿度とを調節する空気調和を行う場合、除湿装置と温調装置とをそれぞれ設置しなければならず、大きな設置スペースを要し、しかも、２つの装置を稼働させることから、設備費のみならず、ランニングコストが高くなるという問題があった。
【００１１】
本発明は、斯かる点に鑑みてなされたもので、温度調節と湿度調節とを液体吸収剤で行うようにして、設置スペースを小さくすると共に、設備費及びランニングコストの低減を図ることを目的とするものである。
【００１２】
【課題を解決するための手段】
−発明の概要−
本発明は、室内空気と液体吸収剤との間で透湿膜を介して水蒸気の授受を行う室内交換器（21）と、室外空気と液体吸収剤との間で透湿膜を介して水蒸気の授受を行う室外交換器（22）とを備えた吸収剤回路（20）を設けている。加えて、液体吸収剤と熱交換する熱源用熱交換器（35）及び再生用熱交換器（33）とを備えて冷媒が循環する熱源回路（30）を設けている。そして、熱源用熱交換器（35）は、液体吸収剤が室内空気と熱交換して温度調節した調和空気を生成するように液体吸収剤を顕熱変化させ、液体吸収剤で湿度調節と温度調節とを行う。
【００１３】
−解決手段−
具体的に、請求項１に係る発明が講じた手段は、先ず、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源側熱交換器（35）が設けられている。
【００１４】
更に、上記第１交換器（21）は、第１空気と液体吸収剤との間で水蒸気を授受して第１空気を湿度調節する湿度交換器（21-h）と、第１空気と液体吸収剤との間で熱交換して第１空気を温度調節する顕熱熱交換器（21-t）とより構成されている。
【００１５】
上記の発明特定事項により、請求項１記載の発明では、吸収剤回路（20）において、液体吸収剤が循環し、該液体吸収剤は、例えば、熱源側熱交換器（35）によって冷却されて大きく顕熱変化し、低温で且つ水蒸気分圧（飽和蒸気圧）が降下した高濃度の液体吸収剤として第１交換器（21）に流れ、第１空気と熱交換して該第１空気を冷却すると共に、該第１空気の水分を吸収して低濃度の液体吸収剤となる。
【００１６】
その後、上記低濃度の液体吸収剤は、例えば、第２交換器（22）で高温で且つ水蒸気分圧（飽和蒸気圧）が上昇した状態から第２空気に水分を放出して高濃度の液体吸収剤となって再生する。この再生した高濃度の液体吸収剤は、再び熱源側熱交換器（35）に流れて上述の動作を繰り返し、第１空気の湿度を調節すると共に、第１空気の温度を調節する。
【００１７】
更に、湿度交換器（21-h）と顕熱熱交換器（21-t）とより個別に第１空気の湿度調節と温度調節とを行うので、大容量の熱移動が行われることになる。
【００１８】
請求項２記載の発明が講じた手段は、上記請求項１記載の発明において、湿度交換器（21-h）と顕熱熱交換器（21-t）とが直列に接続された構成としたものである。
【００１９】
上記の発明特定事項により、請求項２記載の発明では、第１空気を顕熱熱交換器（21-t）で温度調節した後、第１空気を湿度交換器（21-h）で湿度調節することになる。
【００２０】
請求項３記載の発明が講じた手段は、上記請求項１記載の発明において、湿度交換器（21-h）と顕熱熱交換器（21-t）とが並列に接続された構成としたものである。
【００２１】
上記の発明特定事項により、請求項３記載の発明では、第１空気の湿度調節と温度調節とをそれぞれ別個に行うので、湿度能力と温度能力とを独立して制御できる。
【００２２】
請求項４記載の発明が講じた手段は、上記請求項２又は３記載の発明において、顕熱熱交換器（21-t）が、湿度交換器（21-h）の上方に配置された構成としている。
【００２３】
上記の発明特定事項により、請求項４記載の発明では、顕熱熱交換器（21-t）で発生したドレンが湿度交換器（21-h）で吸収処理される。
【００２４】
請求項５記載の発明が講じた手段は、上記請求項１記載の発明において、液体吸収剤が、第１空気の露点温度以上に制御される構成としている。
【００２５】
上記の発明特定事項により、請求項５記載の発明では、第１交換器（21）や循環通路（24）における結露が抑制されることになる。
【００２６】
請求項６記載の発明が講じた手段は、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源用熱交換器（35）が設けられている。
【００２７】
更に、上記熱源用熱交換器（35）は、冷媒が循環する熱源回路（30）に設けられ、第１交換器（21）に流れる液体吸収剤を冷媒熱量によって顕熱変化させる第１熱源用熱交換器（35）で構成される一方、上記熱源回路（30）には、第２交換器（22）に流れる液体吸収剤と熱交換して該液体吸収剤を顕熱変化させる第２熱源用熱交換器（33）が設けられている。
【００２８】
その上、上記吸収剤回路（20）には、液体吸収剤が第２熱源用熱交換器（33）と第２交換器（22）とをバイパスするようにバイパス通路（26）が第２熱源用熱交換器（33）と第２交換器（22）に対して並列に設けられている。
【００２９】
請求項７記載の発明が講じた手段は、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源用熱交換器（35）が設けられている。
【００３０】
更に、上記熱源用熱交換器（35）は、冷媒が循環する熱源回路（30）に設けられ、冷媒熱量によって液体吸収剤を顕熱変化させる一方、上記熱源回路（30）には、第２空気と熱交換する空気熱交換器（37）が設けられている。
【００３１】
その上、上記吸収剤回路（20）には、液体吸収剤が第２交換器（22）をバイパスするようにバイパス通路（26）が第２交換器（22）に対して並列に設けられている。
【００３２】
請求項８記載の発明が講じた手段は、上記請求項７記載の発明において、熱源用熱交換器（35）は、第１交換器（21）に流れる液体吸収剤を顕熱変化させる第１熱源用熱交換器（35）で構成される一方、熱源回路（30）には、第２交換器（22）に流れる液体吸収剤と熱交換して該液体吸収剤を顕熱変化させる第２熱源用熱交換器（33）が設けられている。
【００３３】
請求項９記載の発明が講じた手段は、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源用熱交換器（35）が設けられている。
【００３４】
更に、上記熱源用熱交換器（35）は、冷媒が循環する熱源回路（30）に設けられ、第１交換器（21）に流れる液体吸収剤を冷媒熱量によって顕熱変化させる第１熱源用熱交換器（35）で構成される一方、上記熱源回路（30）には、第２交換器（22）に流れる液体吸収剤と熱交換して該液体吸収剤を顕熱変化させる第２熱源用熱交換器（33）が設けられている。
【００３５】
その上、上記吸収剤回路（20）には、第２交換器（22）より流出する液体吸収剤から熱回収を行う熱回収熱交換器（25）が設けられると共に、液体吸収剤が熱回収熱交換器（25）と第２熱源用熱交換器（33）と第２交換器（22）とをバイパスするようにバイパス通路（26）が熱回収熱交換器（25）と第２熱源用熱交換器（33）と第２交換器（22）に対して並列に設けられている。
【００３６】
上記の発明特定事項により、請求項６、請求項７及び請求項９記載の発明では、液体吸収剤の顕熱変化による第１空気の温度調節のみを行う場合、液体吸収剤が第２交換器（22）を流れることなくバイパス通路（26）を流れて循環し、効率が向上する。
【００３７】
また、上記第１交換器（21）で湿度調整するのに必要な循環量の液体吸収剤のみが第２交換器（22）を流れるように調整することができる。
【００３８】
また、請求項８記載の発明では、熱源回路（30）を冷媒が循環することになるが、第１熱源側熱交換器（35）で得た冷媒熱量は、第２熱源用熱交換器（33）で放熱されることになる。
【００３９】
請求項１０記載の発明が講じた手段は、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源用熱交換器（35）が設けられている。
【００４０】
更に、上記吸収剤回路（20）には、液体吸収剤に補給水を供給する給水手段（40）が接続され、上記給水手段（40）は、吸収剤回路（20）に設けられ且つ透湿膜（4b）を介して補給水を供給する補給用湿度交換器（44）を備えている。
【００４１】
上記の発明特定事項により、請求項１０記載の発明では、液体吸収剤が第２空気より水蒸気を吸収する場合に比して給水手段（40）より確実に水蒸気を給水することになる。更に、液体吸収剤が透湿膜（4b）を介して補給水を吸収することになる。
【００４２】
請求項１１記載の発明が講じた手段は、上記請求項１０記載の発明において、給水手段（40）が、補給水を加熱する加熱手段（45）を備えた構成としたものである。
【００４３】
上記の発明特定事項により、請求項１１記載の発明では、補給水の温度が高くなるので、液体吸収剤が補給水を容易に吸収することになる。
【００４４】
請求項１２記載の発明が講じた手段は、上記請求項１１記載の発明において、加熱手段（45）が、補給水を液体吸収剤で加熱する構成としたものである。
【００４５】
上記の発明特定事項により、請求項１２記載の発明では、加熱手段（45）の構成の簡略化が図られることになる。
【００４６】
請求項１３記載の発明が講じた手段は、上記請求項１２記載の発明において、補給用湿度交換器（44）と加熱手段（45）とが一体に形成された構成としたものである。
【００４７】
上記の発明特定事項により、請求項１３記載の発明では、より加熱手段（45）の構成の簡略化が図られることになる。
【００４８】
請求項１４記載の発明が講じた手段は、液体吸収剤が充填されて該液体吸収剤が循環する閉回路に構成されると共に、第１空気と液体吸収剤との間で透湿膜を介して水蒸気の授受を行う第１交換器（21）及び、第２空気と液体吸収剤との間で透湿膜を介して水蒸気の授受を行う第２交換器（22）を有し、該第１交換器（21）及び第２交換器（22）が循環通路（24）によって接続されている吸収剤回路（20）が設けられている。加えて、上記第１交換器（21）の上流側の循環通路（24）に設けられ、液体吸収剤が第１空気と熱交換して温度調節した調和空気を生成するように該液体吸収剤を顕熱変化させる熱源用熱交換器（35）が設けられている。更に、上記第１空気の湿度が、口腔内粘膜の乾燥度に基づく絶対湿度による制御下限値と、室内空気質の劣化度に基づく相対湿度による制御上限値とで定められる湿度制御範囲になるように吸収剤回路（20）の湿度調節を制御するコントローラ（50）が設けられている。
【００４９】
上記の発明特定事項により、請求項１４記載の発明では、従来に比して第１空気が低湿度状態になることが抑制されると共に、高湿度状態になることが抑制される。
【００５０】
【発明の効果】
したがって、本発明によれば、熱源側熱交換器（35）が吸収剤回路（20）の液体吸収剤を顕熱変化させて液体吸収剤が第１空気を温度調節するようにしたために、第１空気の温度調節と湿度調節とを同時に行うことができるので、例えば、１つの装置でもって冷房除湿を行うことができる。この結果、従来のように除湿装置等の調湿装置と冷房装置等の温調装置とをそれぞれ別個に設置する必要がないので、装置の小型化を図り、小スペース化を図ることができる。
【００５１】
また、１つの装置を稼働させるのみであることから、設備費のみならず、ランニングコストの低減を図ることができる。
【００５２】
また、請求項１記載の発明によれば、第１交換器（21）を湿度交換器（21-h）と顕熱交換器とで構成するようにしたために、１台の第１交換器（21）を設けた場合に比して大容量の熱量移動を効率良く行うことができる。
【００５３】
また、請求項２載の発明によれば、顕熱交換器と湿度交換器（21-h）とを直列に接続するようにしたために、吸収剤回路（20）の構成の複雑化を防止することができる。
【００５４】
また、請求項３記載の発明によれば、顕熱交換器と湿度交換器（21-h）とを並列に接続するようにしたために、室内空気の温度調整と湿度調整とを独立して制御することができるので、制御範囲の拡大を図ることができる。
【００５５】
また、請求項４記載の発明によれば、顕熱交換器を湿度交換器（21-h）の上方に配置するようにしたために、顕熱交換器で生じたドレンを湿度交換器（21-h）で吸収することができるので、ドレン処理を別個に行う必要がなく、構成の簡略化を図ることができる。
【００５６】
また、請求項５記載の発明によれば、液体吸収剤を第１空気の露点温度以上に制御するようにしたために、第１交換器（21）におけるドレン発生を抑制することができると共に、循環通路（24）の結露等を確実に防止することができる。つまり、液体吸収剤は第１空気の露点温度以上であっても吸湿を行うことができるので、ドレン発生や結露等の対策コストを低減することができる。
【００５７】
また、請求項６、７及び９記載の発明によれば、吸収剤回路（20）にバイパス通路（26）を設けるようにしたために、冷房運転時や暖房運転時のように液体吸収剤の顕熱のみを利用する場合には該液体吸収剤を第２交換器（22）に流す必要がないので、高性能化を図ることができる。
【００５８】
また、上記液体吸収剤が第２交換器（22）をバイパスするようにしたために、第１交換器（21）で湿度調整するのに必要な循環量の液体吸収剤のみが第２交換器（22）を流れるように調整することができる。
【００５９】
また、請求項７記載の発明によれば、熱源回路（30）に空気熱交換器（37）を設けるようにしたために、熱源回路（30）における余剰熱や不足熱を室外空気で処理することができるので、適用範囲の拡大を図ることができる。
【００６０】
また、請求項９記載の発明によれば、第２交換器（22）から流出する液体吸収剤の熱量を回収するようにしたために、熱源側熱交換器（35）で冷却する熱量又は加熱する熱量が低減され、運転効率の向上を図ることができる。
【００６１】
また、請求項１０記載の発明によれば、吸収剤回路（20）に給水手段（40）を接続するようにしたために、第２空気から水分を吸収することができない場合であっても、給水手段（40）によって補給水が供給されるので、加湿運転を確実に実行することができる。
【００６２】
また、上記液体吸収剤を冷却することなく水分の吸収を行うようにすることができるので、液体吸収剤の冷却を省略することができる。
【００６３】
また、例えば、上記給水手段（40）を室外のみに設けるようにすることができるので、室内に給水系統を導入する必要がなく、全体構成の簡略化を図ることができる。
【００６４】
また、補給用湿度交換器（44）において、透湿膜（4b）を介して液体吸収剤が補給水から水分を吸収するので、液体吸収剤への不純物の混入を防止することができる。
【００６５】
また、請求項１１記載の発明によれば、加熱手段（45）で液体吸収剤を加熱するようにしたために、補給用湿度交換器（44）における水分の吸収が容易に行われるようにすることができるので、透湿膜（4b）の給水部分を小面積にすることができる。
【００６６】
また、請求項１２記載の発明によれば、補給水を吸収剤回路（20）の液体吸収剤で加熱するようにしたために、別個の加熱源等を要しないので、回路構成の簡素化を図ることができる。
【００６７】
また、請求項１３記載の発明によれば、補給用湿度交換器（44）と加熱手段（45）とを一体に形成しているので、より構成の簡略化を図ることができる。
【００６８】
また、請求項１４記載の発明によれば、湿度制御の下限値を口腔内粘膜の乾燥度に基づく絶対湿度で、湿度制御の上限値を室内空気質の劣化度に基づく相対湿度で設定するようにしたために、第１空気が低湿度状態になることを防止することができると共に、第１空気が高湿度状態になることを防止することができる。
この結果、例えば、室内の空気状態を在室者の健康を維持し得る範囲に制御することができるので、快適でなおかつ健康に適した室内環境を実現することができる。つまり、風邪の感染を防止することができると共に、室内のカビの発生を防止することができる。
【００６９】
【発明の実施の形態】
以下、本発明の実施形態を図面に基づいて詳細に説明する。尚、先ず、本発明の前提となる各種の前提技術について説明した後、本願発明の各実施形態を説明する。
【００７０】
〈前提技術１〉
図１に示すように、空気調和装置（10）は、吸収剤回路（20）と熱源回路（30）とを備えて温度調節と湿度調節とを行うように構成したものである。
【００７１】
上記吸収剤回路（20）は、室内交換器（21）と室外交換器（22）と循環ポンプ（23）とが循環通路（24）によって閉回路に構成されている。該吸収剤回路（20）は、塩化リチウム水溶液などの液体吸収剤が充填され、該液体吸収剤が循環ポンプ（23）によって循環するように構成されている。
【００７２】
上記室内交換器（21）は、室内に設置されて室内を空気調和する第１交換器であって、図示しないが、多孔性疎水性高分子膜などの透湿膜を備えている。該透湿膜は、水の通過を阻止するが、水蒸気（水分）の通過を許容するものであって、液体吸収剤と室内空気とが互いに接する部分に設けられている。そして、上記室内交換器（21）は、液体吸収剤が透湿膜を介して第１空気である室内空気と水蒸気の授受を行うように構成されている。
【００７３】
上記室外交換器（22）は、室外に設置されて液体吸収剤を再生する再生器としての第２交換器を構成し、図示しないが、上記室内交換器（21）と同様に、多孔性疎水性高分子膜などの透湿膜を備えている。該透湿膜は、液体吸収剤と室外空気とが互いに接する部分に設けられ、上記室外交換器（22）は、液体吸収剤が透湿膜を介して第２空気である室外空気と水蒸気の授受を行うように構成されている。
【００７４】
上記熱源回路（30）は、冷媒が充填されて該冷媒が循環する蒸気圧縮式冷凍サイクルで構成され、吸収剤回路（20）の液体吸収剤を顕熱変化させるように構成されている。該熱源回路（30）は、圧縮機（31）と四路切換弁（32）と再生用熱交換器（33）と膨張弁（34）と熱源用熱交換器（35）とが順に冷媒配管（36）によって接続されて閉回路に構成されると共に、冷媒の循環方向が可逆になるように構成されている。
【００７５】
上記再生用熱交換器（33）は、吸収剤回路（20）における室外交換器（22）の上流側の循環通路（24）に配置され、液体吸収剤と冷媒とが熱交換する第２熱源用熱交換器を構成している。該再生用熱交換器（33）は、室外交換器（22）が液体吸収剤の水分を放出する場合、冷媒が凝縮する凝縮器として機能し、室外交換器（22）に流れる液体吸収剤を加熱するように構成されている。一方、上記室外側熱交換器（33）は、室外交換器（22）が液体吸収剤に水分を吸収する場合、冷媒が蒸発する蒸発器として機能し、室外交換器（22）に流れる液体吸収剤を冷却するように構成されている。
【００７６】
上記熱源用熱交換器（35）は、吸収剤回路（20）における室内交換器（21）の上流側の循環通路（24）に配置され、液体吸収剤と冷媒とが熱交換する第１熱源用熱交換器を構成している。該熱源用熱交換器（35）は、室内交換器（21）が液体吸収剤に水分を吸収する場合、冷媒が蒸発する蒸発器として機能し、室内交換器（21）に流れる液体吸収剤を冷却するように構成されている。一方、上記熱源用熱交換器（35）は、室内交換器（21）が液体吸収剤の水分を放出する場合、冷媒が凝縮する凝縮器として機能し、室内交換器（21）に流れる液体吸収剤を加熱するように構成されている。
【００７７】
特に、上記熱源用熱交換器（35）は、本発明の特徴として、室内交換器（21）が室内の湿度調節を行う調湿動作の他、温調動作をも行うように液体吸収剤を顕熱変化させ、つまり、液体吸収剤が室内交換器（21）において室内空気と熱交換して温度調節した調和空気を生成するように該液体吸収剤を顕熱変化させる熱交換器に構成されている。
【００７８】
一方、上記再生用熱交換器（33）は、熱源用熱交換器（35）に対して熱源回路（30）の熱バランスが保たれるように冷媒と吸収剤回路（20）の液体吸収剤とが熱交換するように構成されている。
【００７９】
尚、上記熱源回路（30）の熱源用熱交換器（35）は、吸収剤回路（20）の液体吸収剤の温度が常に室内空気の露点温度以上になるように容量などが制御されている。
【００８０】
−空調動作−
次に、上記空気調和装置（10）の空調動作について説明する。
【００８１】
[冷房除湿運転]
先ず、冷房除湿運転を行う場合、熱源回路（30）においては、四路切換弁（32）が図１の実線側に切り換わり、圧縮機（31）から吐出した高温の高圧冷媒が再生用熱交換器（33）で液体吸収剤を加熱して凝縮する。その後、凝縮冷媒は、膨張弁（34）で減圧して熱源用熱交換器（35）に流れ、該熱源用熱交換器（35）で液体吸収剤を冷却して蒸発し、圧縮機（31）に戻る循環を行う。
【００８２】
一方、上記吸収剤回路（20）においては、循環ポンプ（23）を駆動して液体吸収剤を循環させる。該液体吸収剤は、熱源用熱交換器（35）で熱源回路（30）の冷媒によって冷却され、低温で且つ水蒸気分圧（飽和蒸気圧）が降下した高濃度の液体吸収剤として室内交換器（21）に流れる。そして、上記液体吸収剤は、室内空気と熱交換して該室内空気を冷却すると共に、上記室内空気の水分を吸収して低濃度の液体吸収剤となる。
【００８３】
その後、上記低濃度の液体吸収剤は、再生用熱交換器（33）で熱源回路（30）の冷媒によって加熱され、高温で且つ水蒸気分圧（飽和蒸気圧）が上昇した液体吸収剤として室外交換器（22）に流れる。そして、上記液体吸収剤は、室外空気と熱交換して該室外空気に放熱すると共に、該室外空気に水分を放出して高濃度の液体吸収剤となって再生する。
【００８４】
この再生した高濃度の液体吸収剤は、再び熱源用熱交換器（35）に流れて上述の動作を繰り返し、室内を除湿すると共に、室内を冷房することになる。尚、上記液体吸収剤は、室内空気の露点温度以上で常に循環するように制御されている。
【００８５】
そこで、上記液体吸収剤の状態変化を詳述すると、図２に示すように、室内交換器（21）においては、Ａ１点の室内空気とＣ１〜Ｄ１点の液体吸収剤との間で除湿と冷却が行われる。つまり、高濃度の液体吸収剤は、熱源用熱交換器（35）において、熱源回路（30）の冷媒によって冷却され、水蒸気分圧（飽和蒸気圧）がＣ１点に降下している。このＣ１点の液体吸収剤は、従来の図２１の液体吸収剤に比し、低温に冷却されて大きく顕熱変化している。
【００８６】
上記Ｃ１点の液体吸収剤は、室内空気の温度が高いので、室内空気と熱交換して該室内空気を冷却すると共に、室内空気の水蒸気分圧が大きいので、室内空気の水分を吸収し、顕熱変化して低濃度の液体吸収剤になる。
【００８７】
一方、上記室外交換器（22）においては、Ｂ１点の室外空気とＥ１〜Ｆ１点の液体吸収剤との間で再生が行われる。つまり、上記水分を吸収した低濃度の液体吸収剤は、再生用熱交換器（33）において、熱源回路（30）の冷媒によって加熱され、水蒸気分圧（飽和蒸気圧）がＥ１点に上昇する。このＥ１点の液体吸収剤は、従来の図２１の液体吸収剤に比し、高温に加熱されて大きく顕熱変化している。
【００８８】
上記Ｅ１点の液体吸収剤は、室外空気の温度が低いので、室外空気に放熱すると共に、室外空気の水蒸気分圧が小さいので、水分を放出し、顕熱変化して高濃度の液体吸収剤に再生される。
【００８９】
そして、この高濃度の液体吸収剤は、上述したように再び熱源用熱交換器（35）に移動し、Ｃ１点に冷却されて室内空気の熱量及び水分を吸収し、この循環動作を繰り返して室内を冷房除湿する。
【００９０】
[除湿運転]
除湿運転のみを行う場合は、上述した冷房除湿運転に比して熱源回路（30）の能力を低減し、熱源用熱交換器（35）の蒸発能力及び再生用熱交換器（33）の凝縮能力を低減する。この結果、液体吸収剤は、顕熱変化が小さくなり、水蒸気分圧の昇降によって室内交換器（21）で水分の吸収のみを行う一方、室外交換器（22）で水分の放出のみを行って循環する。
【００９１】
[暖房加湿運転]
暖房加湿運転を行う場合、冷房除湿運転と逆の動作が行われる。先ず、熱源回路（30）においては、四路切換弁（32）が図１の破線側に切り換わり、圧縮機（31）から吐出した高温の高圧冷媒が熱源用熱交換器（35）で液体吸収剤を加熱して凝縮する。その後、凝縮冷媒は、膨張弁（34）で減圧して再生用熱交換器（33）に流れ、該再生用熱交換器（33）で液体吸収剤を冷却して蒸発し、圧縮機（31）に戻る循環を行う。
【００９２】
一方、上記吸収剤回路（20）における液体吸収剤は、熱源用熱交換器（35）で熱源回路（30）の冷媒によって加熱され、高温で且つ水蒸気分圧が上昇した低濃度の液体吸収剤として室内交換器（21）に流れる。そして、上記液体吸収剤は、室内空気と熱交換して該室内空気を加熱すると共に、該室内空気に水分を放出して高濃度の液体吸収剤となる。
【００９３】
その後、上記高濃度の液体吸収剤は、再生用熱交換器（33）で熱源回路（30）の冷媒によって冷却され、低温で且つ水蒸気分圧が降下した液体吸収剤として室外交換器（22）に流れる。そして、上記液体吸収剤は、室外空気と熱交換して該室外空気を冷却すると共に、該室外空気の水分を吸収して低濃度の液体吸収剤となって再生する。
【００９４】
この再生した低濃度の液体吸収剤は、再び熱源用熱交換器（35）に流れて上述の動作を繰り返し、室内を加湿すると共に、室内を暖房することになる。
【００９５】
[加湿運転]
加湿運転のみを行う場合は、上述した暖房加湿運転に比して熱源回路（30）の能力を低減し、熱源用熱交換器（35）の凝縮能力及び再生用熱交換器（33）の蒸発能力を低減する。この結果、液体吸収剤は、顕熱変化が小さくなり、水蒸気分圧の昇降によって室内交換器（21）で水分の放出のみを行う一方、室外交換器（22）で水分の吸収のみを行って循環する。
【００９６】
−前提技術１の効果−
以上のように、本前提技術１によれば、熱源用熱交換器（35）が吸収剤回路（20）の液体吸収剤を顕熱変化させて液体吸収剤が室内空気を温度調節するようにしたために、室内の温度調節と湿度調節とを同時に行うことができるので、例えば、１つの装置でもって冷房除湿を行うことができる。この結果、従来のように除湿装置等の調湿装置と冷房装置等の温調装置とを別個に設置する必要がないので、装置の小型化を図り、小スペース化を図ることができる。
【００９７】
また、１つの装置を稼働させるのみであることから、設備費のみならず、ランニングコストの低減を図ることができる。
【００９８】
特に、１つの室内交換器（21）が調湿動作と温調動作とを行うので、構成の簡略化を図ることができる。
【００９９】
また、液体吸収剤を室内空気の露点温度以上に制御するようにしたために、室内交換器（21）におけるドレン発生を抑制することができると共に、循環通路（24）の結露等を確実に防止することができる。つまり、液体吸収剤は室内空気の露点温度以上であっても吸湿を行うことができるので、ドレン発生や結露等の対策コストを低減することができる。
【０１００】
〈前提技術２〉
次に、本発明の他の前提技術２について説明する。本前提技術は、図３に示すように、上記前提技術１が１台の室内交換器（21）を設けたのに代えて、複数台の室内交換器（21）を設けたマルチ型に構成したものである。尚、図３は３台の室内交換器（21）を設けた場合を示している。
【０１０１】
つまり、吸収剤回路（20）における循環通路（24）の室内側を３つに分岐して３台の室内交換器（21）を互いに並列になるように接続している。そして、上記室内交換器（21）の上流側の循環通路（24）には開閉弁（SV）が設けられている。
【０１０２】
したがって、前提技術１の冷房除湿や暖房加湿を行う室内交換器（21）に対応して開閉弁（SV）を開放し、複数の室内交換器（21）で冷房除湿や暖房加湿を行うことになる。
【０１０３】
この結果、室内空気の冷却加熱と除加湿との双方を行う場合の小スペース化等の効果をより顕著に発揮させることができる。その他の構成並びに作用及び効果は、上記前提技術１と同様である。
【０１０４】
〈実施形態１〉
次に、本発明の実施形態１について説明する。本実施形態は、図４に示すように、上記前提技術１が１台の室内交換器（21）を設けたのに代えて、顕熱熱交換器（21-t）と湿度交換器（21-h）を設けた構成したものである。
【０１０５】
つまり、上記顕熱熱交換器（21-t）と湿度交換器（21-h）とが直列に接続されて第１交換器である室内交換器（21）を構成すると共に、上記顕熱熱交換器（21-t）が湿度交換器（21-h）より液体吸収剤の流れの上流側に配置されている。そして、該顕熱熱交換器（21-t）は、液体吸収剤と室内空気とを熱交換して温度調節する温調動作のみを行うように構成される一方、上記湿度交換器（21-h）は、液体吸収剤と室内空気との間で水蒸気を授受して湿度調節する調湿動作のみを行うように構成されている。
【０１０６】
また、上記顕熱熱交換器（21-t）は、湿度交換器（21-h）の上方に配置され、顕熱熱交換器（21-t）で生じたドレンを湿度交換器（21-h）で吸収するように構成されている。
【０１０７】
したがって、冷房除湿運転時は、熱源用熱交換器（35）で冷却された液体吸収剤が顕熱熱交換器（21-t）で室内空気を冷却した後、湿度交換器（21-h）で室内空気の水分を吸収する。また、冷房しない除湿運転時は、熱源用熱交換器（35）で冷却された液体吸収剤が顕熱熱交換器（21-t）で室内空気とほぼ熱交換することなく、湿度交換器（21-h）で室内空気の水分を吸収する。
【０１０８】
一方、暖房加湿運転時は、熱源用熱交換器（35）で加熱された液体吸収剤が顕熱熱交換器（21-t）で室内空気を加熱した後、湿度交換器（21-h）で室内空気に水分を放出する。また、暖房しない加湿運転時は、熱源用熱交換器（35）で加熱された液体吸収剤が顕熱熱交換器（21-t）で室内空気とほぼ熱交換することなく、湿度交換器（21-h）で室内空気に水分を放出する。
【０１０９】
この結果、１台の室内交換器（21）を設けた場合に比して大容量の熱量移動を効率良く行うことができる。
【０１１０】
また、上記顕熱熱交換器（21-t）を湿度交換器（21-h）の上方に配置するようにしたために、顕熱熱交換器（21-t）で生じたドレンを湿度交換器（21-h）で吸収することができるので、ドレン処理を別個に行う必要がなく、構成の簡略化を図ることができる。
【０１１１】
また、上記顕熱熱交換器（21-t）と湿度交換器（21-h）とを直列に接続するようにしたために、吸収剤回路（20）の構成の複雑化を防止することができる。その他の構成並びに作用及び効果は、上記前提技術１と同様である。
【０１１２】
〈実施形態２〉
次に、本発明の実施形態２について説明する。本実施形態は、図５に示すように、上記実施形態１が顕熱熱交換器（21-t）と湿度交換器（21-h）とを直列に接続したのに代えて、該顕熱熱交換器（21-t）と湿度交換器（21-h）とを並列に接続したものである。
【０１１３】
つまり、上記吸収剤回路（20）における循環通路（24）の室内側が２つに分岐され、顕熱熱交換器（21-t）と湿度交換器（21-h）とが並列に接続されると共に、上記顕熱熱交換器（21-t）と湿度交換器（21-h）の上流側にはそれぞれ開閉弁（SV）が設けられている。
【０１１４】
したがって、室内空気の温度調整と湿度調整の双方を行う場合、２つの開閉弁（SV，SV）を共に開放し、室内空気の温度調整を顕熱熱交換器（21-t）で、室内空気の湿度調整を湿度交換器（21-h）でそれぞれ個別に行うことになる。
【０１１５】
また、室内空気の湿度調整のみを行う場合、顕熱熱交換器（21-t）の開閉弁（SV）を閉鎖し、室内空気の湿度調整を湿度交換器（21-h）で行う一方、室内空気の温度調整のみを行う場合、湿度交換器（21-h）の開閉弁（SV）を閉鎖し、室内空気の温度調整を顕熱熱交換器（21-t）で行うことになる。
【０１１６】
この結果、室内空気の温度調整と湿度調整とを独立して制御することができるので、制御範囲の拡大を図ることができる。その他の構成並びに作用及び効果は、上記実施形態１と同様である。
【０１１７】
〈前提技術３〉
次に、本発明の他の前提技術３について説明する。本前提技術は、図６に示すように、上記前提技術１が熱源回路（30）に１つの再生用熱交換器（33）を設けたのに代えて、該再生用熱交換器（33）の他に空気熱交換器（37）を設けたものである。
【０１１８】
つまり、熱源回路（30）における室外側には、再生用熱交換器（33）をバイパスするバイパス管（38）が設けられ、上記空気熱交換器（37）は、冷媒を室外空気と熱交換させる熱交換器に構成されると共に、再生用熱交換器（33）に対して並列に接続されるようにバイパス管（38）に設けられている。
【０１１９】
一方、吸収剤回路（20）の室外交換器（22）は、室外空気と液体吸収剤との間で水蒸気を授受して室外空気を湿度調節する湿度交換器に構成され、温度調節ための熱交換は行わない構成になっている。その他の構成は前提技術１と同様である。
【０１２０】
−空調動作及び効果−
次に、空調動作について説明すると、上記熱源回路（30）において、冷房又は除湿の運転時は、圧縮機（31）より吐出した高温の高圧冷媒が再生用熱交換器（33）と空気熱交換器（37）とに分流して流れ、この高圧冷媒は、空気熱交換器（37）で室外空気に放熱して凝縮する一方、再生用熱交換器（33）で吸収剤回路（20）の液体吸収剤を加熱して凝縮する。
【０１２１】
そして、この再生用熱交換器（33）においては、液体吸収剤が水分を放出して再生するように水蒸気分圧を上昇させるための加熱のみが行われ、冷媒熱量の放熱は空気熱交換器（37）で行われる。尚、熱源回路（30）の熱源用熱交換器（35）及び吸収剤回路（20）の室内交換器（21）の動作は前提技術１と同様で、室内の冷房又は除湿が行われる。
【０１２２】
また、暖房又は加湿の運転時は、熱源回路（30）において、熱源用熱交換器（35）で凝縮して膨張弁（34）で減圧した液冷媒が再生用熱交換器（33）と空気熱交換器（37）とに分流して流れ、この液冷媒は、空気熱交換器（37）で室外空気と熱交換して蒸発する一方、再生用熱交換器（33）で吸収剤回路（20）の液体吸収剤を冷却して蒸発する。
【０１２３】
そして、この再生用熱交換器（33）においては、液体吸収剤が水分を吸収して再生するように水蒸気分圧を降下させるための冷却のみが行われ、冷媒熱量の吸熱は空気熱交換器（37）で行われる。尚、熱源回路（30）の熱源用熱交換器（35）及び吸収剤回路（20）の室内交換器（21）の動作は前提技術１と同様で、室内空気の暖房又は加湿が行われる。
【０１２４】
したがって、本前提技術３によれば、熱源回路（30）に再生用熱交換器（33）の他に空気熱交換器（37）を設けるようにしたために、吸収剤回路（20）の液体吸収剤の再生用熱交換器（33）及び熱源用熱交換器（35）に流入する温度を調整するこことができると共に、熱源回路（30）における余剰熱や不足熱を室外空気で処理することができるので、適用範囲の拡大を図ることができる。その他の効果は上記前提技術１と同様である。
【０１２５】
〈前提技術４〉
次に、本発明の他の前提技術４について説明する。本前提技術は、図７に示すように、上記前提技術１が熱源回路（30）に１つの再生用熱交換器（33）を設けたのに代えて、空気熱交換器（37）を設けたものである。
【０１２６】
つまり、熱源回路（30）における室外側には、圧縮機（31）と四路切換弁（32）と膨張弁（34）との間には空気熱交換器（37）が設けられている。更に、該空気熱交換器（37）は、吸収剤回路（20）の室外交換器（22）に対して、該室外交換器（22）を流れる室外空気の上流側に配置され、該空気熱交換器（37）で加熱又は冷却された室外空気が吸収剤回路（20）の室外交換器（22）に流れるように構成されている。
【０１２７】
一方、吸収剤回路（20）の室外交換器（22）は、室外空気と液体吸収剤との間で水蒸気を授受して室外空気を湿度調節する湿度交換器に構成され、温度調節ための熱交換は行わない構成になっている。その他の構成は上記前提技術１と同様である。
【０１２８】
−空調動作及び効果−
次に、空調動作について説明すると、上記熱源回路（30）において、冷房又は除湿の運転時は、圧縮機（31）より吐出した高温の高圧冷媒が空気熱交換器（37）で室外空気に放熱して凝縮する。そして、吸収剤回路（20）の室外交換器（22）において、室内交換器（21）から流れる低温で低濃度の液体吸収剤は、空気熱交換器（37）で熱交換した高温の室外空気で加熱されて水蒸気分圧が上昇し、水分を室外空気に放出して再生する。尚、熱源回路（30）の熱源用熱交換器（35）及び吸収剤回路（20）の室内交換器（21）の動作は上記前提技術１と同様で、室内の冷房又は除湿が行われる。
【０１２９】
また、暖房又は加湿の運転時は、熱源回路（30）において、熱源用熱交換器（35）で凝縮して膨張弁（34）で減圧した液冷媒が空気熱交換器（37）に流れ、この液冷媒は、空気熱交換器（37）で室外空気と熱交換して蒸発する。そして、吸収剤回路（20）の室外交換器（22）において、室内交換器（21）から流れる高温で高濃度の液体吸収剤は、空気熱交換器（37）で熱交換した低温の室外空気で冷却されて水蒸気分圧が降下し、水分を室外空気から吸収して再生する。
【０１３０】
尚、上記熱源回路（30）の熱源用熱交換器（35）及び吸収剤回路（20）の室内交換器（21）の動作は上記前提技術１と同様で、室内空気の暖房又は加湿が行われる。
【０１３１】
したがって、本前提技術４によれば、熱源回路（30）に空気熱交換器（37）を設けるようにしたために、吸収剤回路（20）の回路構成を簡素にすることができる。
【０１３２】
また、上記空気熱交換器（37）の排熱で室外交換器（22）の液体吸収剤を加熱又は冷却することができるので、液体吸収剤の再生効率を向上させることができる。その他の効果は、上記前提技術１と同様である。
【０１３３】
〈前提技術５〉
次に、本発明の他の前提技術５について説明する。本前提技術は、図８に示すように、上記前提技術３における吸収剤回路（20）に熱回収熱交換器（25）を設けたものである。つまり、上記熱回収熱交換器（25）は、再生用熱交換器（33）に流入する液体吸収剤と室外交換器（22）から流出する液体吸収剤との間で熱交換するように構成されている。
【０１３４】
したがって、冷房又は除湿の運転時は、室内交換器（21）から低温の液体吸収剤が再生用熱交換器（33）で加熱されて室外交換器（22）から流出することになるが、この室外交換器（22）から流出する液体吸収剤の温熱が再生用熱交換器（33）に流入する液体吸収剤に回収されることになる。
【０１３５】
一方、暖房又は加湿の運転時は、室内交換器（21）から高温の液体吸収剤が再生用熱交換器（33）で冷却されて室外交換器（22）から流出することになるが、この室外交換器（22）から流出する液体吸収剤の冷熱が再生用熱交換器（33）に流入する液体吸収剤に回収されることになる。
【０１３６】
この結果、熱源用熱交換器（35）及び空気熱交換器（37）で冷却する熱量又は加熱する熱量が低減され、運転効率の向上を図ることができる。その他の構成並びに作用及び効果は、上記前提技術３と同様である。
【０１３７】
〈実施形態３〉
次に、本発明の実施形態３について説明する。本実施形態は、図９に示すように、上記前提技術５における吸収剤回路（20）の室外側にバイパス通路（26）を設けたものである。
【０１３８】
つまり、上記バイパス通路（26）は、室内交換器（21）からの液体吸収剤が、熱回収熱交換器（25）と再生用熱交換器（33）と室外交換器（22）とをバイパスして循環ポンプ（23）に流れるように構成されている。そして、該バイパス通路（26）には開閉弁（SV）が設けられる一方、上記熱回収熱交換器（25）の上流側に開閉弁（SV）が設けられている。その他の構成は、上記前提技術５と同様である。
【０１３９】
−空調動作及び効果−
次に、空調動作について説明すると、除湿及び加湿を行わず、冷房運転及び暖房運転のみを行う場合、熱源回路（30）の熱源用熱交換器（35）は、冷房運転時は蒸発器に、暖房運転時は凝縮器となる。一方、吸収剤回路（20）においては、熱回収熱交換器（25）の上流側の開閉弁（SV）を閉鎖し、バイパス通路（26）の開閉弁（SV）を開放し、液体吸収剤は室内交換器（21）からバイパス通路（26）を通って循環ポンプ（23）に流れる循環を行う。
【０１４０】
この結果、上記吸収剤回路（20）における室内交換器（21）は、冷房運転時において、熱源用熱交換器（35）で冷却された液体吸収剤が流れるので、室内空気と熱交換して該室内空気を冷却して室内を冷房する一方、暖房運転時において、熱源用熱交換器（35）で加熱された液体吸収剤が流れるので、室内空気と熱交換して該室内空気を加温して室内を暖房する。
【０１４１】
また、冷房及び暖房を行わず、除湿運転及び加湿運転のみを行う場合、熱源回路（30）において、除湿運転時に、熱源用熱交換器（35）は蒸発器に、再生用熱交換器（33）及び空気熱交換器（37）が凝縮器になり、また、加湿運転時に、熱源用熱交換器（35）は凝縮器に、再生用熱交換器（33）及び空気熱交換器（37）が蒸発器になる。一方、吸収剤回路（20）においては、熱回収熱交換器（25）の上流側の開閉弁（SV）を開放し、バイパス通路（26）の開閉弁（SV）を閉鎖し、液体吸収剤は室内交換器（21）から熱回収熱交換器（25）、再生用熱交換器（33）及び室外交換器（22）を通って循環ポンプ（23）に流れる循環を行う。
【０１４２】
この結果、除湿運転時において、上記吸収剤回路（20）における室内交換器（21）は、熱源用熱交換器（35）で冷却されて水蒸気分圧が降下した液体吸収剤が流れるので、室内空気から水分を吸収する一方、再生用熱交換器（33）で加熱されて水蒸気分圧が上昇した液体吸収剤が流れるので、室外空気に水分を放出して室内を除湿する。
【０１４３】
また、加湿運転時において、上記吸収剤回路（20）における室内交換器（21）は、熱源用熱交換器（35）で加熱されて水蒸気分圧が上昇した液体吸収剤が流れるので、室内空気に水分を放出する一方、再生用熱交換器（33）で冷却されて水蒸気分圧が降下した液体吸収剤が流れるので、室外空気から水分を吸収して室内を加湿する。
【０１４４】
また、冷房除湿運転を行う場合及び暖房加湿運転を行う場合にあっては、熱回収熱交換器（25）の上流側の開閉弁（SV）とバイパス通路（26）の開閉弁（SV）
とを共に開放して、液体吸収剤が室外交換器（22）とバイパス通路（26）とを共に流れるようにする。
【０１４５】
したがって、本実施形態３によれば、吸収剤回路（20）にバイパス通路（26）を設けるようにしたために、冷房運転時や暖房運転時のように液体吸収剤の顕熱のみを利用する場合には該液体吸収剤を室外交換器（22）に流す必要がないので、高性能化を図ることができる。
【０１４６】
また、上記液体吸収剤が室外交換器（22）をバイパスするようにしたために、バイパス通路（26）のバイパス量を制御することにより、室内交換器（21）で湿度調整するのに必要な循環量の液体吸収剤のみが室外交換器（22）を流れるように調整することができる。その他の作用及び効果は、上記前提技術５と同様である。
【０１４７】
〈実施形態４〉
次に、本発明の実施形態４について説明する。本実施形態は、図１０に示すように、上記前提技術４における吸収剤回路（20）の室外側に、上記実施形態３と同様にバイパス通路（26）を設けたものである。
【０１４８】
つまり、上記バイパス通路（26）は、室内交換器（21）からの液体吸収剤が、室外交換器（22）をバイパスして循環ポンプ（23）に流れるように構成されている。そして、該バイパス通路（26）には開閉弁（SV）が設けられる一方、上記室外交換器（22）の上流側に開閉弁（SV）が設けられている。その他の構成は、上記前提技術４と同様である。
【０１４９】
−空調動作及び効果−
次に、空調動作について説明すると、除湿及び加湿を行わず、冷房運転及び暖房運転のみを行う場合、吸収剤回路（20）において、室外交換器（22）の上流側の開閉弁（SV）を閉鎖し、バイパス通路（26）の開閉弁（SV）を開放し、液体吸収剤は室内交換器（21）からバイパス通路（26）を通って循環ポンプ（23）に流れる循環を行う。
【０１５０】
この結果、上記吸収剤回路（20）における室内交換器（21）は、冷房運転時において、熱源用熱交換器（35）で冷却された液体吸収剤が流れるので、室内空気と熱交換して該室内空気を冷却して室内を冷房する一方、暖房運転時において、熱源用熱交換器（35）で加熱された液体吸収剤が流れるので、室内空気と熱交換して該室内空気を加温して室内を暖房する。
【０１５１】
また、冷房及び暖房を行わず、除湿運転及び加湿運転のみを行う場合、吸収剤回路（20）において、室外交換器（22）の上流側の開閉弁（SV）を開放し、バイパス通路（26）の開閉弁（SV）を閉鎖し、液体吸収剤は室内交換器（21）から室外交換器（22）を通って循環ポンプ（23）に流れる循環を行い、上記前提技術４と同様に動作する。
【０１５２】
また、冷房除湿運転を行う場合及び暖房加湿運転を行う場合にあっては、室外交換器（22）の上流側の開閉弁（SV）とバイパス通路（26）の開閉弁（SV）とを共に開放して、液体吸収剤が室外交換器（22）とバイパス通路（26）とを共に流れるようにする。
【０１５３】
したがって、本実施形態４によれば、吸収剤回路（20）にバイパス通路（26）を設けるようにしたために、冷房運転時や暖房運転時のように液体吸収剤の顕熱のみを利用する場合には該液体吸収剤を室外交換器（22）に流す必要がないので、高性能化を図ることができる。その他の作用及び効果は、上記前提技術４と同様である。
【０１５４】
〈実施形態５〉
次に、本発明の実施形態５について説明する。本実施形態は、図１１に示すように、上記実施形態４における吸収剤回路（20）の室外側に前提技術５と同様に熱回収熱交換器（25）を設けたものである。つまり、上記熱回収熱交換器（25）は、室外交換器（22）に流入する液体吸収剤と該室外交換器（22）から流出する液体吸収剤との間で熱交換するように構成されている。
【０１５５】
したがって、除湿の運転時において、室内交換器（21）から低温の液体吸収剤が室外交換器（22）で加熱されて該室外交換器（22）から流出することになるが、この室外交換器（22）から流出する液体吸収剤の温熱が室外交換器（22）に流入する液体吸収剤に回収されることになる。
【０１５６】
一方、加湿の運転時は、室内交換器（21）から高温の液体吸収剤が室外交換器（22）で冷却されて該室外交換器（22）から流出することになるが、この室外交換器（22）から流出する液体吸収剤の冷熱が室外交換器（22）に流入する液体吸収剤に回収されることになる。
【０１５７】
この結果、熱源用熱交換器（35）及び空気熱交換器（37）で冷却する熱量又は加熱する熱量が低減され、運転効率の向上を図ることができる。その他の構成並びに作用及び効果は、上記実施形態４と同様である。
【０１５８】
〈前提技術６〉
次に、本発明の他の前提技術６について説明する。本前提技術は、図１２に示すように、上記実施形態５における吸収剤回路（20）に給水手段（40）を接続するようにしたものである。尚、図１２の室外交換器（22）は配管接続の関係のみを示しており、上記実施形態５の図１１に示すように、室外交換器（22）は、空気熱交換器（37）の空気の下流側に配置されている。
【０１５９】
上記給水手段（40）は、吸収剤回路（20）に補給水を直接に供給するものであって、補給水を貯溜する給水タンク（41）を備え、該給水タンク（41）が、吸収剤回路（20）における循環ポンプ（23）の吸込側の循環通路（24）に給水管（42）を介して接続される一方、上記給水タンク（41）には、給水弁（WV）を有する給水系統（43）が接続されている。その他の構成は、上記実施形態５と同様である。
【０１６０】
−空調動作及び効果−
次に、空調動作について説明すると、冷房除湿運転時及び除湿運転時は、液体吸収剤が、熱源用熱交換器（35）で冷却されて室内交換器（21）で室内空気の水分を吸収し、室外交換器（22）において、空気熱交換器（37）で加熱された室外空気で液体吸収剤が加熱されて該室外空気に水分を放出する。尚、この冷房除湿運転時及び除湿運転時においては、給水タンク（41）に補給水が供給されておらず、該給水手段（40）から液体吸収剤に水分が供給されることはない。
【０１６１】
一方、暖房加湿運転時及び加湿運転時は、液体吸収剤が、熱源用熱交換器（35）で加熱されて室内交換器（21）で室内空気に水分を放出し、室外交換器（22）で室外空気で冷却されて該室外空気から水分を吸収する。この場合、室外空気の温度が低く、該室外空気から水分が吸収することができない場合であっても、給水タンク（41）に補給水が供給され、該給水手段（40）から液体吸収剤に水分が供給され、室内交換器（21）から水分が室内空気に供給されて室内が加湿される。
【０１６２】
したがって、本前提技術６によれば、室外空気から水分を吸収することができない場合であっても、給水手段（40）によって補給水が供給されるので、加湿運転を確実に実行することができる。
【０１６３】
また、上記液体吸収剤を冷却することなく水分の吸収を行うようにすることができるので、液体吸収剤の冷却を省略することができる。
【０１６４】
また、上記給水手段（40）を室外のみに設けるようにすることができるので、室内に給水系統（43）を導入する必要がなく、全体構成の簡略化を図ることができる。その他の作用及び効果は、上記実施形態５と同様である。
【０１６５】
〈実施形態６〉
次に、本発明の実施形態６について説明する。本実施形態は、図１３に示すように、上記前提技術６の給水手段（40）が補給水を直接に吸収剤回路（20）に供給したのに代えて、補給用湿度交換器（44）を設けるようにしたものである。
【０１６６】
つまり、上記吸収剤回路（20）における循環ポンプ（23）と熱源用熱交換器（35）との間には補給用湿度交換器（44）が設けられる一方、該補給用湿度交換器（44）には給水管（42）が接続されている。尚、該給水管（42）には給水弁（WV）が設けられている。
【０１６７】
上記補給用湿度交換器（44）は、図１４に示すように、両端が閉鎖された外部チューブ（4a）と透湿膜（4b）とを備えている。該外部チューブ（4a）は、吸収剤回路（20）の循環通路（24）より大径に形成されると共に、両端部に循環通路（24）の端部が挿入されている。
【０１６８】
上記透湿膜（4b）は、外部チューブ（4a）の内部に円筒状に設けられ、上記循環通路（24）の端部の端部に亘って設けられている。そして、上記外部チューブ（4a）と透湿膜（4b）との間に給水管（42）より補給水が供給され、上記透湿膜（4b）の内部を流れる液体吸収剤が補給水から水分を吸収するように構成されている。
【０１６９】
更に、上記給水管（42）の途中には、補給水の加熱用熱交換器（45）が設けられている。該加熱用熱交換器（45）は、熱源回路（30）における熱源用熱交換器（35）と膨張弁（34）との間の冷媒配管（36）に接続されて加熱手段を構成している。そして、上記熱源回路（30）において、圧縮機（31）から熱源用熱交換器（35）を流れた高圧冷媒が加熱用熱交換器（45）で補給水を加熱し、その後、冷媒は、膨張弁（34）を介して空気熱交換器（37）に流れるように構成されている。
【０１７０】
尚、図１４においては、補給用湿度交換器（44）と給水タンク（41）とが接続され、加熱用熱交換器（45）は省略した図となっている。その他の構成は、上記前提技術６と同様である。
【０１７１】
−空調動作及び効果−
次に、空調動作について説明すると、暖房加湿運転時及び加湿運転時においては、給水タンク（41）に補給水が供給され、該給水タンク（41）から補給用湿度交換器（44）に補給水が供給されいる。更に、この補給水は、加熱用熱交換器（45）で加熱されているので、上記補給用湿度交換器（44）において、液体吸収剤が透湿膜（4b）を介して補給水より水分を吸収する。
【０１７２】
その後、水分を吸収した液体吸収剤は、再生用熱交換器（35）で加熱された後、室内交換器（21）に流れ、該室内交換器（21）において、液体吸収剤が水分を室内空気に放出して室内を加湿する。
【０１７３】
したがって、本実施形態によれば、補給用湿度交換器（44）において、透湿膜（4b）を介して液体吸収剤が補給水から水分を吸収するので、液体吸収剤への不純物の混入を防止することができる。
【０１７４】
また、上記加熱用熱交換器（45）で液体吸収剤を加熱するようにしたために、補給用湿度交換器（44）における水分の吸収が容易に行われるようにすることができるので、透湿膜（4b）の給水部分を小面積にすることができる。その他の作用及び効果は、上記前提技術６と同様である。
【０１７５】
〈実施形態７〉
次に、本発明の実施形態７について説明する。本実施形態は、図１５に示すように、上記実施形態６の給水手段（40）が補給水を熱源回路（30）で加熱したのに代えて、液体吸収剤で補給水を加熱するようにしたものである。
【０１７６】
つまり、上記吸収剤回路（20）における熱源用熱交換器（35）と室内交換器（21）との間には、加熱用熱交換器（45）と補給用湿度交換器（44）とが設けられ、該補給用湿度交換器（44）は、図１６に示すように、上記実施形態６と同様に、外部チューブ（4a）及び透湿膜（4b）を備えた構成となっている。
【０１７７】
上記加熱用熱交換器（45）は、図１６に示すように、吸収剤回路（20）の循環通路（24）の外側に設けられた円筒状のケーシング（4c）を備えた二重管熱交換器に形成されて加熱手段を構成し、該ケーシング（4c）には給水管（42）が接続されて補給水が供給されると共に、該ケーシング（4c）が補給用湿度交換器（44）の外部チューブ（4a）に給水管（42）を介して接続されている。
【０１７８】
したがって、上記加熱用熱交換器（45）の循環通路（24）には熱源用熱交換器（35）で加熱された液体吸収剤が流通する一方、加熱用熱交換器（45）のケーシング（4c）には補給水が供給されるので、この補給水が加熱される。この加熱された補給水が補給用湿度交換器（44）に供給され、液体吸収剤がこの補給水より水分を吸収し、室内交換器（21）で水分を放出する。
【０１７９】
この結果、本実施形態によれば、実施形態６の熱源回路（30）に比して回路構成の簡素化を図ることができる。その他の構成並びに作用及び効果は、上記実施形態６と同様である。
【０１８０】
〈実施形態８〉
次に、本発明の実施形態８について説明する。本実施形態は、図１７に示すように、上記実施形態７の給水手段（40）が加熱用熱交換器（45）と補給用湿度交換器（44）とをそれぞれ別個に形成したのに代えて、該加熱用熱交換器（45）と補給用湿度交換器（44）と一体形成したものである。
【０１８１】
つまり、図１８に示すように、上記補給用湿度交換器（44）の外部チューブ（4a）が延長され、該外部チューブ（4a）の両端が吸収剤回路（20）の循環通路（24）に接続されている。更に、上記外部チューブ（4a）の中央部には、ドーナツ板状の仕切板（4d）が設けられ、該仕切板（4d）と片側の循環通路（24）との間には透湿膜（4b）が設けられて補給用湿度交換器（44）に構成されている。
【０１８２】
一方、上記仕切板（4d）と他方の循環通路（24）との間には伝熱管（4e）が螺旋状に収納されて加熱用熱交換器（45）に構成されている。そして、上記伝熱管（4e）の一端は給水管（42）に接続され、他端は補給用湿度交換器（44）に接続されている。
【０１８３】
したがって、上記補給水は、伝熱管（4e）を通って液体吸収剤によって加熱され、この加熱された補給水が補給用湿度交換器（44）に供給され、液体吸収剤がこの補給水より水分を吸収し、室内交換器（21）で水分を放出する。
【０１８４】
この結果、本実施形態によれば、実施形態７より更に構成の簡略化を図ることができる。その他の構成並びに作用及び効果は、上記実施形態７と同様である。
【０１８５】
〈実施形態９〉
次に、本発明の実施形態９について説明する。本実施形態は、図１９に示すように、室内空気の湿度を所定の湿度制御範囲に制御するコントローラ（50）を設けるようにしたものである。
【０１８６】
つまり、上記コントローラ（50）は、吸収剤回路（20）の循環ポンプ（23）の他、熱源回路（30）の圧縮機（31）の容量及び膨張弁（34）の開度などを制御して室内温度及び室内湿度を制御している。特に、該コントローラ（50）は、制御下限値を口腔内粘膜の乾燥度に基づく絶対湿度で設定し、制御上限値を室内空気質の劣化度に基づく相対湿度で設定している。具体的に、下限値は0.0084kg/kg'に、上限値は55％RHに設定している。
【０１８７】
そこで、上述した湿度の制御範囲を設定した具体的理由について図２０の空気線図に基づき説明する。尚、図２０の空気線図における横軸は空気温度、縦軸は絶対湿度であり、また細線にて示す線は相対湿度の等湿度線を表している。
【０１８８】
従来から、在室者の快適性を考慮した範囲（以下、快適範囲という。）は、図２０において、これ以上湿度が上昇すればカビの成長を招いてしまうというアシュレー（ASHRAE）によるカビの成長限界湿度線Ｌ１と、これ以上湿度が低下すれば皮膚の乾燥を招いてしまうというアシュレーによる皮膚の乾燥限界湿度線Ｌ２と、新有効温度一定の線Ｌ３，Ｌ４によって囲まれる領域によって表される。この新有効温度とは、人間の生理的な温度調節作用をモデル化し、体表面からの放熱量の等しい熱環境を同一の寒暑感覚を与えると仮定して計算によって求めた熱環境指標であり、アシュレーにより採用され、広く用いられている。
【０１８９】
これに対し、本発明者は、上述した快適範囲は、在室者の快適性のみを考慮し、健康面には何ら考慮していない点に着目し、在室者の快適性だけでなく健康にも配慮した範囲（以下、健康範囲という。）に温度及び湿度を制御するものである。この健康範囲は、図２０において斜線を付した領域、すなわち、これ以上湿度が上昇すればカビの成長を招いてしまうという菅原らによるカビの成長限界湿度線Ｌ５と、これ以上湿度が低下すれば口腔内粘膜の乾燥が生じてしまうというウィンスロウ(Winslow）らによる口腔粘膜の乾燥限界湿度線Ｌ６と、新有効温度一定の線Ｌ４によって囲まれる領域によって表されるものである。
【０１９０】
このとき、上述の健康範囲は従来の快適範囲に比べて狭く、従来のように湿度制御範囲を相対湿度により設定する方法では、健康範囲に制御することが困難であるため、本発明では、湿度制御範囲の上限は相対湿度により設定し、その下限は絶対湿度により設定するという手段を用い、健康範囲に室内環境を制御するものである。ここで、絶対湿度の値は、図示しないが、温度センサ及び湿度センサからの室内空気の検出温度及び検出湿度の値より演算している。
【０１９１】
尚、本実施形態では、健康範囲における湿度の上限値を菅原らによるカビの成長限界湿度線Ｌ５によって設定したが、アシュレーによるカビの成長限界湿度線Ｌ１によって設定してもよい。
【０１９２】
したがって、本実施形態によれば、湿度制御の下限値を口腔内粘膜の乾燥度に基づく絶対湿度で、湿度制御の上限値を室内空気質の劣化度に基づく相対湿度で設定するようにしたために、従来のように室内湿度が低湿度状態になることを防止することができると共に、従来のように室内湿度が高湿度状態になることを防止することができる。
【０１９３】
この結果、室内の空気状態を在室者の健康を維持し得る範囲に制御することができるので、快適でなおかつ健康に適した室内環境を実現することができる。つまり、風邪の感染を防止することができると共に、室内のカビの発生を防止することができる。
【０１９４】
【発明の他の実施の形態】
請求項１〜請求項９記載の発明は、冷房除湿運転又は暖房加湿運転のみを行うものであってもよく、つまり、熱源回路（30）は四路切換弁（32）を備えておらず、熱源用熱交換器（35）で液体吸収剤を冷却又は加熱のみを行うようにしてもよい。
【０１９５】
また、熱源回路（30）は蒸気圧縮式冷凍サイクルに限られず、吸収式冷凍サイクルであってもよく、また、ボイラなどの各種の熱源を利用するものであってもよい。
【図面の簡単な説明】
【図１】    本発明の前提技術１の吸収剤回路及び熱源回路を示す回路図である。
【図２】    液体吸収剤の温度に対する水蒸気分圧の特性図である。
【図３】    本発明の前提技術２の吸収剤回路及び熱源回路を示す回路図である。
【図４】    本発明の実施形態１の吸収剤回路及び熱源回路を示す回路図である。
【図５】    本発明の実施形態２の吸収剤回路及び熱源回路を示す回路図である。
【図６】    本発明の前提技術３の吸収剤回路及び熱源回路を示す回路図である。
【図７】    本発明の前提技術４の吸収剤回路及び熱源回路を示す回路図である。
【図８】    本発明の前提技術５の吸収剤回路及び熱源回路を示す回路図である。
【図９】    本発明の実施形態３の吸収剤回路及び熱源回路を示す回路図である。
【図１０】    本発明の実施形態４の吸収剤回路及び熱源回路を示す回路図である。
【図１１】    本発明の実施形態５の吸収剤回路及び熱源回路を示す回路図である。
【図１２】    本発明の前提技術６の吸収剤回路及び熱源回路を示す回路図である。
【図１３】    本発明の実施形態６の吸収剤回路及び熱源回路を示す回路図である。
【図１４】    実施形態６の給水系統を示す拡大構成図である。
【図１５】    本発明の実施形態７の吸収剤回路及び熱源回路を示す回路図である。
【図１６】    実施形態７の給水系統を示す拡大構成図である。
【図１７】    本発明の実施形態８の吸収剤回路及び熱源回路を示す回路図である。
【図１８】    実施形態８の給水系統を示す拡大構成図である。
【図１９】    本発明の実施形態９の吸収剤回路及び熱源回路を示す回路図である。
【図２０】    室内湿度の制御範囲を示す空気線図である。
【図２１】    従来の液体吸収剤の温度に対する水蒸気分圧の特性図である。
【符号の説明】
10            空気調和装置
20            吸収剤回路
21            室内交換器（第１交換器）
21-h          湿度交換器
21-t          顕熱熱交換器
22            室外交換器（第２交換器）
24            循環通路
25            熱回収熱交換器
26            バイパス通路
30            熱源回路
31            圧縮機
33            再生用熱交換器（第２熱源用熱交換器）
35            熱源用熱交換器（第１熱源用熱交換器）
37            空気熱交換器
40            給水手段
41            給水タンク
44            補給用湿度交換器
45            加熱用熱交換器（加熱手段）
4b            透湿膜
50            コントローラ
【図１】
0003785753.tif 000002
【図２】
0003785753.tif 000003
【図３】
0003785753.tif 000004
【図４】
0003785753.tif 000005
【図５】
0003785753.tif 000006
【図６】
0003785753.tif 000007
【図７】
0003785753.tif 000008
【図８】
0003785753.tif 000009
【図９】
0003785753.tif 000010
【図１０】
0003785753.tif 000011
【図１１】
0003785753.tif 000012
【図１２】
0003785753.tif 000013
【図１３】
0003785753.tif 000014
【図１４】
0003785753.tif 000015
【図１５】
0003785753.tif 000016
【図１６】
0003785753.tif 000017
【図１７】
0003785753.tif 000018
【図１８】
0003785753.tif 000019
【図１９】
0003785753.tif 000020
【図２０】
0003785753.tif 000021
【図２１】
0003785753.tif 000022